(57)【要約】【課題】ケーシングの上下二段にダクトを設け、冷却効率の向上を図るとともに、吸気孔からの雨水の浸入を良好に防止する。【解決手段】ケーシング１２の上方に、第１の吸気孔１４ａと、開口部を上方に向けた第１のダクト本体１４ｃとを備えた第１吸気ダクト１４を、第１吸気ダクト１４の下方に、第２の吸気孔１５ａと第２のダクト本体１５ｂとを備えた第２吸気ダクト１５をそれぞれ設ける。ケーシング１２の第１の吸気孔１４ａの幅方向両端部の下方に一対の排水孔１４ｂ，１４ｂを形成し、第１のダクト本体１４ｃを、第１の吸気孔１４ａと排水孔１４ｂとを囲んで取り付ける。第１のダクト本体１４ｃの底壁１４ｆをケーシング１２の内側からケーシング側に向けて漸次下方に傾斜する傾斜面で形成するとともに、底壁１４ｆと一対の排水孔１４ｂ，１４ｂとをそれぞれ接続する。一対の排水孔１４ｂ，１４ｂの幅方向内側の下方に、第２の吸気孔１５ａを形成する。【選択図】図１
2019203469.tif 000002
【特許請求の範囲】
【請求項１】
作業機と、該作業機を駆動するエンジンとを収納するケーシングに、該ケーシングに貫通形成した吸気孔と、前記ケーシングの内側に、前記吸気孔を囲んで取り付けられるダクト本体とを備えた吸気ダクトを設けたエンジン作業機において、前記ケーシングの上方に、第１の吸気孔と、開口部を上方に向けた第１のダクト本体とを備えた第１吸気ダクトを、該第１吸気ダクトの下方に、第２の吸気孔と第２のダクト本体とを備えた第２吸気ダクトをそれぞれ設け、前記ケーシングの前記第１の吸気孔の幅方向両端部の下方に一対の排水孔を形成し、前記第１のダクト本体を、前記第１の吸気孔と前記排水孔とを囲んで取り付け、前記第１のダクト本体の底壁を、ケーシングの内側からケーシング側に向けて漸次下方に傾斜する傾斜面で形成するとともに、該底壁と前記一対の排水孔とをそれぞれ接続し、前記一対の排水孔の幅方向内側に前記第２の吸気孔を形成したことを特徴とするエンジン作業機。
【請求項２】
前記第２のダクト本体は、開口部を水平方向に向けた横向きダクト、又は、開口部を下方に向けた下向きダクトであることを特徴とする請求項１記載のエンジン作業機。
【発明の詳細な説明】
【技術分野】
【０００１】
本発明は、エンジン作業機に関し、詳しくは、作業機と、該作業機を駆動するエンジンとを収納したケーシングに、吸気ダクトを設けたエンジン作業機に関する。
【背景技術】
【０００２】
従来、エンジン作業機では、作業機と、該作業機を駆動するエンジンとを収容するケーシングに、ケーシング内に外気を導入するための吸気孔と、該吸気孔に連接するダクト本体とを備えた吸気ダクトを設けていた。また、この吸気ダクトとして、下向きのダクト本体をケーシングの外側に設け、ダクト本体から雨水がケーシング内に浸入することを防止するために、ダクトの開口部よりも上方に金網を取り付けたものがあった（例えば、特許文献１参照。）。
【先行技術文献】
【特許文献】
【０００３】
【特許文献１】実開平７−３０５６５号公報
【発明の概要】
【発明が解決しようとする課題】
【０００４】
しかし、上述の特許文献１のように、吸気ダクトをケーシングの外側に設けると、輸送時や搬入時にエンジン作業機をクレーンで吊り上げる際に、吸気ダクトが邪魔になる虞があることから、ケーシングの内側に、ケーシングに貫通形成した吸気孔を囲むダクトを設けたものがある。この場合、吸気孔からの雨水の浸入をケーシング内に落下させないために、上向きダクトが用いられることが望まれるが、エンジン作業機内の冷却効率を向上させるために、ダクトを上下二段に設けた際には、雨水の浸入を良好に防止するためにダクトの構造に工夫が必要となっていた。
【０００５】
そこで本発明は、ケーシングの上下二段にダクトを設け、冷却効率の向上を図るとともに、吸気孔からの雨水の浸入を良好に防止することができるエンジン作業機を提供することを目的としている。
【課題を解決するための手段】
【０００６】
上記目的を達成するため、本発明のエンジン作業機は、作業機と、該作業機を駆動するエンジンとを収納するケーシングに、該ケーシングに貫通形成した吸気孔と、前記ケーシングの内側に、前記吸気孔を囲んで取り付けられるダクト本体とを備えた吸気ダクトを設けたエンジン作業機において、前記ケーシングの上方に、第１の吸気孔と、開口部を上方に向けた第１のダクト本体とを備えた第１吸気ダクトを、該第１吸気ダクトの下方に、第２の吸気孔と第２のダクト本体とを備えた第２吸気ダクトをそれぞれ設け、前記ケーシングの前記第１の吸気孔の幅方向両端部の下方に一対の排水孔を形成し、前記第１のダクト本体を、前記第１の吸気孔と前記排水孔とを囲んで取り付け、前記第１のダクト本体の底壁を、ケーシングの内側からケーシング側に向けて漸次下方に傾斜する傾斜面で形成するとともに、該底壁と前記一対の排水孔とをそれぞれ接続し、前記一対の排水孔の幅方向内側に、前記第２の吸気孔を形成したことを特徴としている。
【０００７】
また、前記第２のダクト本体は、開口部を水平方向に向けた横向きダクト、又は、開口部を下方に向けた下向きダクトであると好適である。
【発明の効果】
【０００８】
本発明のエンジン作業機によれば、作業機とエンジンとを収容するケーシングに、第１吸気ダクトと第２吸気ダクトとを設けたことにより、ケーシング内の冷却効率を向上させることができる。また、雨天時には、ケーシングの天井側からケーシングの外面に沿って流下する雨水が、外気とともに第１の吸気孔からダクト本体内に浸入するが、浸入した雨水は、ダクト本体の底壁に落下するとともに、底壁の傾斜によってケーシング側に集まり、一対の排水孔から外部に排出される。また、天井側からケーシングの外面に沿って流下する雨水は、上述のように第１の吸気ダクトの吸気孔に浸入して排出されることから、一対の排水孔の幅方向内側に設けられた第２の吸気孔から雨水が浸入することが抑制される。
【０００９】
また、第２のダクト本体を、開口部を水平方向に向けた横向きダクト、又は、開口部を下方に向けた下向きダクトとしたことにより、第１吸気ダクトの下方に近接して第２吸気ダクトを設けることができる。
【図面の簡単な説明】
【００１０】
【図１】本発明の一形態例を示すエンジン発電機の正面図である。
【図２】同じくエンジン発電機の要部正面図である。
【図３】同じくエンジン発電機の要部断面図である。
【図４】図２のIV-IV断面図である。
【図５】図２のV-V断面図である。
【発明を実施するための形態】
【００１１】
図１乃至図５は、本発明のエンジン作業機の一形態例を示す図である。エンジン発電機１１は、防音構造を有する直方体形状のケーシング１２の内部に、作業機や、該作業機を駆動するディーゼルエンジンをはじめとした各種機器が収納されている。ケーシング１２は、前面のパネル１２ａに、点検扉１３が設けられると共に、該点検扉１３の一側方に、ケーシング１２内に外気を導入するための第１吸気ダクト１４と第２吸気ダクト１５とが上下に配置されている。
【００１２】
第１吸気ダクト１４は、ケーシング１２の上方に設けられ、パネル１２ａに貫通形成された第１の吸気孔１４ａと、該第１の吸気孔１４ａよりも下方に形成された一対の排水孔１４ｂ，１４ｂと、パネル１２ａの内側に、第１の吸気孔１４ａと排水孔１４ｂ，１４ｂとを囲んで取り付けられる第１のダクト本体１４ｃとを備えている。第１の吸気孔１４ａは、正方形状に貫通形成された複数の通孔１４ｅを縦横に整列して長方形上に形成したもので、一対の排水孔１４ｂは、幅方向両端に配列された通孔１４ｅの下部に連続してそれぞれ形成されている。
【００１３】
第１のダクト本体１４ｃは、開口部１４ｄを上方に向けた上向きダクトで、パネル１２ａの内側に、第１の吸気孔１４ａと一対の排水孔１４ｂ，１４ｂとを囲んで取り付けられる。第１のダクト本体１４ｃの底壁１４ｆは、ケーシング１２の内側からケーシング側に向けて漸次下方に傾斜する傾斜面で形成され、底壁１４ｆの幅方向両端部に前記一対の排水孔１４ｂ，１４ｂがそれぞれ接続されている。
【００１４】
第２吸気ダクト１５は、第１吸気ダクト１４よりも下方に設けられ、パネル１２ａに貫通形成された第２の吸気孔１５ａと、パネル１２ａの内側に、第２の吸気孔１５ａを囲んで取り付けられる第２のダクト本体１５ｂとを備え、第２のダクト本体１５ｂは、開口部１５ｃを下に向けた下向きダクトで形成されている。第２の吸気孔１５ａは、第１の吸気孔１４ａと同様に、正方形状に貫通形成された複数の通孔１５ｄを縦横に整列して長方形状に形成され、一対の排水孔１４ｂ，１４ｂの幅方向内側に配置される。
【００１５】
上述のように形成されたエンジン発電機１１は、雨天時に使用する際には、ケーシング１２の天井側からケーシング１２のパネル１２ａの外面に沿って流下する雨水Ｒ１が、外気とともに第１の吸気孔１４ａから第１のダクト本体１４ｃ内に浸入するが、浸入した雨水Ｒ１は、第１のダクト本体１４ｃの底壁１４ｆに落下し、底壁１４ｆの傾斜によってパネル１２ａ側に集まり、一対の排水孔１４ｂ，１４ｂから、雨水Ｒ２として外部に排出される。また、天井側からパネル１２ａの外面に沿って流下する雨水Ｒ１は、上述のように排水孔１４ｂ，１４ｂから排出されることから、排水孔１４ｂ，１４ｂの幅方向内側に設けられた第２の吸気孔１５ａから雨水Ｒ２が浸入することを抑制することができる。
【００１６】
本形態例は上述のように、ケーシング１２に第１吸気ダクト１４と第２吸気ダクト１５とを上下２段に設けたことにより、吸気量が増加し、ケーシング１２内の冷却効率を向上させることができる。また、第２吸気ダクト１５の第２の吸気孔１５ａから雨水が浸入することを抑制できることから、第２のダクト本体１５ｂを下向きダクトで形成することができ、第１吸気ダクト１４と第２吸気ダクト１５とを近接して設けることができるとともに、ケーシング内に導入する外気の流れを任意に設定することができる。
【００１７】
なお、本発明は、上述の形態例に限るものではなく、第２のダクト本体を、開口を横に向けた横向きダクトで形成してもよく、また、上向きダクトで形成することもできる。
【符号の説明】
【００１８】
１１…エンジン発電機、１２…ケーシング、１２ａ…パネル、１３…点検扉、１４…第１吸気ダクト、１４ａ…第１の吸気孔、１４ｂ…排水孔、１４ｃ…第１のダクト本体、１４ｄ…開口部、１４ｅ…通孔、１４ｆ…底壁、１５…第２吸気ダクト、１５ａ…第２の吸気孔、１５ｂ…第２のダクト本体、１５ｃ…開口部、１５ｄ…通孔
【図１】
2019203469.tif 000003
【図２】
2019203469.tif 000004
【図３】
2019203469.tif 000005
【図４】
2019203469.tif 000006
【図５】
2019203469.tif 000007